Podtech/llm-jp-corpus-v4-ja_patent huggingface dataset:
(57)【要約】【課題】冷却水の量を少なくすることのできる気化冷却装置を提供する。【解決手段】  シリンダードライヤー１のロータリージョイント３に冷却流体供給管５を接続する。ロータリージョイント３に管路６を介して第一の圧縮コンプレッサー７と第二の圧縮コンプレッサー８を接続する。第二の圧縮コンプレッサー８の出口側に放熱器１１を接続する。放熱器１１の出口側に冷却流体供給管５を連通する。  回転ドラム１を冷却する場合は、冷却流体供給管５から回転ドラム１内へ冷却流体を供給することによって、冷却流体が蒸発気化して被冷却物の熱を奪うことによって、被冷却物を気化冷却することができ。【選択図】図１
2013204879.tif 000002
【特許請求の範囲】
【請求項１】
被冷却物を冷却する気化冷却室を形成して、当該気化冷却室に冷却流体を供給すると共に、気化冷却室を吸引手段と接続して被冷却物を気化冷却するものにおいて、吸引手段を圧縮コンプレッサーとして、当該圧縮コンプレッサーの出口側に大気中へ冷媒の熱を放熱する放熱器を接続し、当該放熱器の出口側に気化冷却室へ冷却流体を供給する冷却流体供給管を連通したことを特徴とする気化冷却装置。
【発明の詳細な説明】
【技術分野】
【０００１】
本発明は、気化冷却室で冷却流体の蒸発潜熱によって被冷却物を冷却する気化冷却装置に関する。
【背景技術】
【０００２】
気化冷却装置は、熱交換室に熱交換流体供給管と吸引手段を接続して、冷却流体供給管の下部に集液板を取り付けると共に、冷却流体供給管と集液板に圧縮空気を吹き付ける圧縮空気供給管を接続したもので、冷却流体供給管の外周で蒸気を凝縮して冷却流体とし、この冷却流体を集液板に集液して圧縮空気によって被冷却物の全体に且つ均一に供給することにより、被冷却物の全体をムラなく冷却することができるものである。
【０００３】
この気化冷却装置においては、被冷却物を気化冷却するために、冷却流体としての冷却水を多量に必要としてしまう問題があった。
【先行技術文献】
【特許文献】
【０００４】
【特許文献１】特許第３１７０６６９号公報
【発明の概要】
【発明が解決しようとする課題】
【０００５】
解決しようとする課題は、被冷却物を気化冷却する場合に、必要とする冷却流体としての冷却水の量を少なくすることのできる気化冷却装置を提供することである。
【課題を解決するための手段】
【０００６】
本発明は、被冷却物を冷却する気化冷却室を形成して、当該気化冷却室に冷却流体を供給すると共に、気化冷却室を吸引手段と接続して被冷却物を気化冷却するものにおいて、吸引手段を圧縮コンプレッサーとして、当該圧縮コンプレッサーの出口側に大気中へ冷媒の熱を放熱する放熱器を接続し、当該放熱器の出口側に気化冷却室へ冷却流体を供給する冷却流体供給管を連通したものである。
【発明の効果】
【０００７】
本発明の気化冷却装置は、冷却流体を所定温度に冷却する放熱器を接続したことにより、少量の冷却流体を放熱器で所定温度まで冷却し、繰り返して使用することができ、必要とする冷却流体の量を少なくすることができる。
【図面の簡単な説明】
【０００８】
【図１】本発明に係る気化冷却装置の実施例を示す構成図である。
【発明を実施するための形態】
【０００９】
本発明は、冷却流体を所定温度まで冷却する放熱器を設けたものであるが、この放熱器としては、フィンチューブの熱交換器にファンを組み合わせた従来周知のものを用いることができる。
【実施例】
【００１０】
本実施例においては、気化冷却室としてシリンダードライヤー１を用いた例を示す。シリンダードライヤー１の内部に入れた図示しない被冷却物を、冷却流体供給管５から供給する冷却源としての冷却流体によって熱交換するものである。
【００１１】
シリンダードライヤー１は、回転ドラム２とロータリージョイント３で構成し、回転ドラム２に被冷却物を収納し、ロータリージョイント３に冷却流体供給管５を接続する。ロータリージョイント３の吸引管４に、管路６を介して第一の圧縮コンプレッサー７と第二の圧縮コンプレッサー８を直列に接続する。吸引管４の端部には、回転ドラム２内の冷却流体及び気化蒸気を吸引するサイフォン管１３を接続する。
【００１２】
第一の圧縮コンプレッサー７は、ロータリージョイント３側の管路６の圧力を検出する圧力センサー９と連通し、また、第二の圧縮コンプレッサー８は、放熱器１１側の管路６の圧力を検出する圧力センサー１０と連通して、それぞれの圧力センサー９，１０からの検出値に応じてコンプレッサー７，８の回転数を制御するものである。
【００１３】
第二の圧縮コンプレッサー８の出口側に放熱器１１を接続する。放熱器１１は、フィンチューブの熱交換器１２にファン１３を組み合わせたもので、管路６を流下してくる冷却流体の熱をファン１３の回転によって大気中へ放熱することができるものである。
【００１４】
放熱器１１の出口側にシリンダードライヤー１へ冷却流体を供給する冷却流体供給管５を連通する。冷却流体供給管５の端部は、ロータリージョイント３の冷却流体供給口としてのサイフォン管１５と連通する。
【００１５】
回転ドラム２内の被冷却物を冷却する場合は、圧縮コンプレッサー７，８を駆動して回転ドラム２内を大気圧以下の真空状態に維持して、圧縮コンプレッサー７，８で圧縮されて昇温した冷却流体を、放熱器１１で冷却して冷却流体供給管５から回転ドラム２内へ噴射することによって、冷却流体が被冷却物の熱を奪って気化することで被冷却物を気化冷却する。気化した蒸気と、気化しきれなかった冷却流体は、冷却流体吸引口１２から圧縮コンプレッサー７，８へ吸引される。
【産業上の利用可能性】
【００１６】
間接的な、あるいは、直接的な熱交換としての気化冷却を行うさまざまな熱交換器として適用できる。
【符号の説明】
【００１７】
１  シリンダードライヤー
２
回転ドラム
３  ロータリージョイント
４  吸引管
５  冷却流体供給管
６  管路
７，８  圧縮コンプレッサー
１１  放熱器
【図１】
2013204879.tif 000003
(57)【要約】【課題】ボイラー等の蒸気源を不要にすることのできる低圧蒸気加熱装置を提供する。【解決手段】熱交換器１に加熱用蒸気供給管８を接続する。熱交換器１の下部に組み合わせ真空ポンプ４を接続する。組み合わせ真空ポンプ４を、循環ポンプ１４とエゼクタ１０と循環水タンク１３で構成する。第二段のヒートポンプ３を、圧縮機５と凝縮器６と絞り９、並びに、蒸発器１８とで構成する。第一段のヒートポンプ７を、圧縮機１７と第二段の蒸発器１８と絞り１９、及び、熱源ユニット２５とで構成する。  循環水タンク１３内の循環水を凝縮器６で所望温度まで加熱して加熱用蒸気供給管８から熱交換器１へ供給することで、蒸気ボイラー等の蒸気発生源を別途設置する必要がなくなる。【選択図】図１
2013204878.tif 000002
【特許請求の範囲】
【請求項１】
被加熱物を収容する熱交換器と、蒸発器、圧縮機、凝縮器、膨張機による閉ループ内に熱媒体を充填したヒートポンプと、当該ヒートポンプの凝縮器で熱交換器の加熱部に蒸気を供給する蒸気供給管を熱媒体と熱交換して加熱し、熱交換器の加熱部に加熱部内の流体を吸引する吸引手段を接続して、当該吸引手段で加熱部内を大気圧程度又は大気圧以下の低圧状態に維持すると共に、上記ヒートポンプを少なくとも２段に配置したことを特徴とする低圧蒸気加熱装置。
【発明の詳細な説明】
【技術分野】
【０００１】
本発明は、熱交換室で被熱交換物を低圧蒸気によって加熱する低圧蒸気加熱装置に関する。
【背景技術】
【０００２】
蒸気加熱装置は、熱交換室に熱交換流体供給管と吸引手段を接続して、熱交換流体供給管から加熱用の蒸気を熱交換室へ供給することによって、蒸気で被加熱物を加熱することができるものである。
【先行技術文献】
【特許文献】
【０００３】
【特許文献１】特許第３１７０６６９号公報
【発明の概要】
【発明が解決しようとする課題】
【０００４】
上記従来の蒸気加熱装置においては、加熱用の蒸気を発生するボイラーを、及び、ボイラーから熱交換室まで熱交換流体供給管を、配置しなければならない問題があった。
【０００５】
本発明が解決しようとする課題は、ボイラー等の蒸気源と長尺な蒸気供給管を不要にして、簡単な設備の低圧蒸気加熱装置を提供することである。
【課題を解決するための手段】
【０００６】
本発明は、被加熱物を収容する熱交換器と、蒸発器、圧縮機、凝縮器、膨張機による閉ループ内に熱媒体を充填したヒートポンプと、当該ヒートポンプの凝縮器で熱交換器の加熱部に蒸気を供給する蒸気供給管を熱媒体と熱交換して加熱し、熱交換器の加熱部に加熱部内の流体を吸引する吸引手段を接続して、当該吸引手段で加熱部内を大気圧程度又は大気圧以下の低圧状態に維持すると共に、上記ヒートポンプを少なくとも２段に配置したものである。
【発明の効果】
【０００７】
本発明の低圧蒸気加熱装置は、ヒートポンプの凝縮器で加熱用の蒸気を発生することができ、ボイラー等の別個の蒸気発生源を不要とすることができる。
【図面の簡単な説明】
【０００８】
【図１】本発明の低圧蒸気加熱装置の実施例を示す構成図。
【発明を実施するための最良の形態】
【０００９】
本発明は、ヒートポンプを設けたものであるが、このヒートポンプとしては、蒸発器と圧縮機と凝縮器と膨張機とそれらを接続する管路とで構成される従来周知のものを用いることができる。
【実施例１】
【００１０】
本実施例においては、熱交換器１の内部に入れた図示しない被加熱物を、供給する加熱源としての加熱用蒸気によって加熱するものである。
【００１１】
熱交換器１は円筒状の密閉タンクであり、この熱交換器１に吸引手段としての組み合わせ真空ポンプ４と、加熱流体としての加熱用蒸気供給管８を接続する。加熱用蒸気供給管８には、蒸気と蒸気の凝縮した復水とを気液分離する気液分離器２を介在する。加熱用蒸気供給管８から、所定圧力すなわち温度の加熱用蒸気が、熱交換器１へ供給されることによって、被加熱物を加熱することができるものである。
【００１２】
熱交換器１の下方に排出管２０を接続して、組み合わせ真空ポンプ４のエゼクタ１０と接続する。組み合わせ真空ポンプ４を、エゼクタ１０と、循環ポンプ１４と循環水タンク１３とで形成する。組み合わせ真空ポンプ４は、循環水タンク１３内の循環水を循環ポンプ１４からエゼクタ１０へ吐出し、再度循環水タンク１３へと循環するものであり、エゼクタ１０に循環水が高速で吐出されることによってエゼクタ１０内で吸引力を発生して、熱交換器１下方の排出管２０から熱交換器１内で蒸気が凝縮した復水を吸引し、循環水と混合して循環水タンク１３へと流下させるものである。
【００１３】
第二段のヒートポンプ３を、圧縮機５と凝縮器６と膨張機としての絞り９、及び、蒸発器１８とで構成して、それぞれの機器を連通する循環路１１で連通する。
【００１４】
第一段のヒートポンプ７を、同様に圧縮機１７と第二段の蒸発器１８と膨張機としての絞り１９、及び、熱源ユニット２５と循環路２６とで構成する。
【００１５】
循環ポンプ１４の吐出側を分岐して凝縮器６へ循環水の一部を供給する循環水供給管１２を接続する。循環水供給管１２は、凝縮器６内でヒートポンプ３の循環路１１と熱交換して加熱されることによって蒸気供給管１６で蒸気となり、加熱用蒸気供給管８から熱交換器１へその蒸気を供給する。熱交換器１へ供給された蒸気によって、熱交換器１内の被加熱物を加熱するものである。
【００１６】
第一段のヒートポンプ７の熱源ユニット２５が、大気２８中の熱をフィン２７によって取り込み、第二段の蒸発器１８で循環路１１内を流下する熱媒体を加熱することができるものである。
【００１７】
第二段のヒートポンプ３の凝縮器６で蒸気供給管１６内の循環水と熱交換して熱を奪われた循環路１１内の熱媒体は、凝縮して液体となり、膨張機としての絞り９を通過する間に膨張して気体となって循環路１１から蒸発器１８へ流下する。
【００１８】
循環水タンク１３内の循環水を所望温度まで加熱することのできる凝縮器６を配置したことによって、循環水供給管１２から凝縮器６へと供給される循環水の温度を任意にコントロールすることができ、加熱用蒸気供給管８から熱交換器１へ供給する蒸気の温度も任意にコントロールすることができ、蒸気ボイラー等の蒸気発生源を別途設置する必要がなくなる。
【産業上の利用可能性】
【００１９】
本発明は、蒸気ボイラー等の蒸気発生源を別途設置することなく、熱交換器で被熱交換物を低圧蒸気によって加熱する低圧蒸気加熱装置として利用することができる。
【符号の説明】
【００２０】
１  熱交換器
２  気液分離器
３  第二段のヒートポンプ
４  組み合わせ真空ポンプ
５  圧縮機
６  凝縮器
８  加熱用蒸気供給管
９  絞り
１０  エゼクタ
１１  循環路
１２  循環水供給管
１６  蒸気供給管
１８  蒸発器
１９  絞り
２０  排出管
２５  熱源ユニット
２７  フィン
【図１】
2013204878.tif 000003
(57)【要約】【課題】従来、柱の側面にボルト、ビスを取付けると引抜きの力が半減する。又、柱と土台と基礎を緊結する場合、別々の金物を取付けると引抜きの力が半減する。【解決手段】直線型又はＬ字型の垂直部１１と、その下部の片端、又は両端からＬ字状に一定長に水平に延伸した水平部１２からなり、垂直部１１は、ドリフトピンを挿入するためのピン孔２を、水平部１２は、アンカーボルトを緊結するためのボルト孔４を設け、柱の下部の中央にスリットを設けた柱を、垂直部に挿入し、柱を土台に置き、柱の外側で水平部のボルト孔にアンカーボルトを挿入して土台と基礎に固定するようにしたことを特徴とする接合柱脚金物。【選択図】図１
2013204414.tif 000002
【特許請求の範囲】
【請求項１】
直線型又はＬ字型の垂直部１１と、その下部の片端、又は両端からＬ字状に一定長に水平に延伸した水平部１２からなり、垂直部１１は、ドリフトピンを挿入するためのピン孔２を、水平部１２は、アンカーボルトを緊結するためのボルト孔４を設け、柱の下部の中央にスリットを設けた柱を、垂直部に挿入し、柱を土台に置き、柱の外側で水平部のボルト孔にアンカーボルトを挿入して土台と基礎に固定するようにしたことを特徴とする接合柱脚金物。
【請求項２】
前記、垂直部と水平部は、一枚の鋼板を折り曲げて製造したことを特徴とする請求項１記載の接合柱脚金物。
【発明の詳細な説明】
【技術分野】
【０００１】この発明は、木造建築（在来工法、２×４工法、金物工法）の柱脚の耐震強度を高める接合柱脚金物に関するものである。
【背景技術】
【０００２】従来は柱の側面にボルト、ビスを取り付けるか又は金物が別々になってアンカーボルトに緊結していた。
【先行技術文献】
【特許文献】
【０００３】
【特許文献１】  特開２００２−１６１５８６公報
【発明の概要】
【発明が解決しようとする課題】
【０００４】従来、柱の側面にボルト、ビスを取付けると引抜きの力が半減する。又、柱と土台を緊結する場合、別々の金物を取付けると引抜きの力が半減する。本発明は、以上のような欠点をなくすためになされたものである。
【課題を解決するための手段】
【０００５】直線型又はＬ字型の垂直部１１と、その下部の片端、又は両端からＬ字状に一定長に水平に延伸した水平部１２からなり、垂直部１１は、ドリフトピンを挿入するためのピン孔２を、水平部１２は、アンカーボルトを緊結するためのボルト孔４を設け、柱の下部の中央にスリットを設けた柱を、垂直部に挿入し、柱を土台に置き、柱の外側で水平部のボルト孔にアンカーボルトを挿入して土台と基礎に固定するようにしたことを特徴とする接合柱脚金物。【０００６】垂直部と水平部は、一枚の鋼板を折り曲げて製造したことを特徴とする接合柱脚金物。
【発明の効果】
【０００７】柱の中心に幅７ｍｍ垂直にスリット設け、接合柱脚金物の垂直部を挿入しドリフトピンで固定し、柱の外部に配置した接合柱脚金物水平部でアンカーボルトにより土台と基礎を緊結するので、厚６ｍｍの鋼板でなる接合柱脚金物を取付けると耐震強度を高めることができる。又、施工が容易で安価、木造建築（在来工法、２×４、金物工法）に対応できる。
【図面の簡単な説明】
【０００８】
【図１】本発明の接合柱脚金物の構成である。（ａ）は直線型片側固定、（ｂ）は直線型両側固定、（ｃ）はＬ字型両側固定
【図２】本発明の接合柱脚金物の使用例である。（ａ）は直線型片側固定、（ｂ）は直線型両側固定、（ｃ）はＬ字型両側固定
【発明を実施するための形態】
【０００９】  以下、本発明を実施するための形態について説明する。
図１は、本発明の接合柱脚金物の構成図である。
（ａ）は、直線型片側固定、（ｂ）は直線型両側固定、（ｃ）がＬ字型両側固定の構成を示す。
【００１０】（ａ）の直線型片側固定は、直線型の垂直部１１と水平部１２からなる。垂直部１１は、ドリフトピン３を挿入するためのピン孔２を備える。水平部１２は、垂直部の片端からＬ字状に折れ曲がって一定距離延伸しており、そこにアンカーボルト５を緊結するためのボルト孔４を設ける。柱の下部にスリット８を設けて、そこに垂直部を挿入しドリフトピン３で固定し、柱を土台に置いて、柱の外側の水平部のボルト孔４にアンカーボルトを挿入して土台と基礎に固定する。
【００１１】  （ｂ）の直線型両側固定は、直線状の垂直部１１と水平部１２からなる。垂直部１１は、ドリフトピン３を挿入するためのピン孔２を備える。水平部１２は、垂直部の両端から、Ｌ字状に折れ曲がって一定距離延伸している。その水平部にアンカーボルトを緊結するためのボルト孔４を設ける。
柱の下部にスリット８を設けて、そこに垂直部を挿入しドリフトピン３で固定し、柱を土台に置いて、両側の水平部の間に柱を置き、ボルト孔４にアンカーボルトを挿入して土台と基礎に固定できるようにする
【００１２】  （ｃ）のＬ字型両側固定は、Ｌ字型の垂直部１１と水平部１２からなる。垂直部１１には、ドリフトピンを挿入するピン孔２を備える。水平部１２は、Ｌ字型の夫々の垂直部の下部からＬ字状に折れ曲がって片端からに一定長延伸する構成とする。水平部には土台とアンカーボルトで緊結するためのボルト孔を設ける。柱の下部の中央にスリットを設け、そこにＬ字型の垂直部を挿入しドリフトピンで固定し、柱の外側に位置する両側のＬ字に配置した水平部のボルト孔４にアンカーボルトを挿入して土台と基礎に固定する。
図２は、本発明の接合柱脚金物の使用例である。（ａ）は、直線型片側固定、（ｂ）は直線型両側固定、（ｃ）がＬ字型両側固定である。
【００１３】  以下、図１（ａ）の直線型片側固定の場合の、本発明の接合柱脚金物の使用方法について、図２の接合柱脚金物の３つの使用例のうち、（ａ）直線型片側固定の場合について工法を説明する。
柱７の下部中央に、スリット８を設け、そのスリット８に垂直部１１を挿入し、ドリフトピン３を挿入して、柱と接合柱脚金物１を固定する。柱をしかるべき土台の位置に置く。水平部は、垂直部の片端から一定長で、柱の外側にでる長さであるので、柱の外側の水平部のボルト孔にアンカーボルトを挿入して土台と基礎に固定する。
【００１４】  本発明の接合柱脚金物の垂直部と水平部は溶接によるのではなく、一枚の鋼板を折り曲げて製造する。これにより耐震強度を高めることができる。
【符号の説明】
【００１５】１    接合柱脚金物
２    ピン孔
３    ドリフトピン
４    ボルト孔
５    アンカーボルト
６    座金付ナット
７    柱
８    スリット
９    土台
１０  基礎
１１  垂直部
１２  水平部
【図１】
2013204414.tif 000003
【図２】
2013204414.tif 000004
(57)【要約】      （修正有）【課題】緊急時侵入等の規制をする際、設置面の形状をあまり考慮することなくワンタッチで設置できる、緊急時に適応したバリケードを提供する。【解決手段】伸縮式安定化バリケードをワンタッチで展開し、下に置くことにより４本の脚７がしっかり地面をとらえ、安定した状態で設置できる。【選択図】図１
2013204274.tif 000002
【特許請求の範囲】
【請求項１】
バリケードの構造上スライドレールとスライドガイドを有しそのことがスムーズな動きになりワンタッチでスムーズな開閉を特徴とする伸縮式安定化バリケード。
【請求項２】
バリケードの構造上支点プレートを有することにより設置面の起伏に合わせたベストな起立状態をつくりだす伸縮式安定化バリケード。
【発明の詳細な説明】
【技術分野】
【０００１】
本発明は緊急車両等の装備として進入禁止、進入規制をするためのバリケードに関する。    
【背景技術】
【０００２】
従来のバリケードは一体型伸縮式の場合、起立時の安定度が不足し不安定なものであった。        
【先行技術文献】
【非特許文献】
【０００３】
【非特許文献１】「総合カタログ２０１０〜２０１１」（株）ポータ工業ｐ.２０
【発明の概要】
【発明が解決しようとする課題】
【０００４】
本発明は、以上のような従来の欠点を鑑み安定した起立をすることを課題とする。
【課題を解決するための手段】
【０００５】
上記目的を達成するために、本発明は４本の反射板、４本の背面バー、４本の脚、２本のスライドレール、２本のスライドガイド、４枚の脚開閉バーそして２枚の支点プレートを連結したものである。反射板と背面バーを開くと同時に脚も開くものであり、反射板と背面バーを開閉する力がスライドガイドをスライドレール上で移動させスライドガイドの上下移動が脚開閉バーを開閉させる構造である。この際スライドレール、スライドガイド、脚開閉バーの連結構造が前後左右に安定した起立状態になさしめるものである。また支点プレート構造で左右それぞれの支点プレートに脚それぞれに支点をもちその支点センター下部にスライドレールの支点を設け３つの支点が地面の起伏に合った安定した起立をさせるものである。
【発明の効果】
【０００６】
以上の説明から明らかなように、本発明にあっては次に列挙する効果が得られる。
（１）反射板と背面バーの開閉と同時に脚も開閉するためすばやく設置することができる。
【０００７】
（２）４本の脚の高低差が相当あっても４本の脚が安定した起立を維持することができる。
【図面の簡単な説明】
【０００８】
【図１】本件「伸縮式安定化バリケード」の全体を説明する斜視図です。
【発明を実施するための形態】
【０００９】
以下、本発明の実施の形態を図に基づいて説明する。
【実施例１】
【００１０】
図１は本発明の実施例１の開いたときの全体斜視図であり、背面バーのポイントAとポイントBを開くと図のように連結された５背面バーと６反射板が図のように開きそれと同時に５背面バーの両端ポイントCが上昇する。ポイントCは背面バーとスライドガイドの連結部でありスライドレール上を動くため安定した滑らかな動きとなるのである。そのスライドガイドの上昇が４脚開閉バーの回転上昇し図のように７脚が開くのである。
【実施例２】
【００１１】
設置面が起伏状態であっても安定した起立ができる構造である。１支点プレートの２スライドレールの支点をセンターにして両サイド上部に７脚の支点を有し脚の設置面状態に合わせて支点プレートの傾き具合が決まりそのセンターの安定した状態にスライドレールの支点が配置され設置されると同時にベストな安定設置ができるのである。
【産業上の利用可能性】
【００１２】
緊急車輛等が侵入規制等をするさいワンタッチですばやく安定した設置ができることを目的とするバリケードである。
【符号の説明】
【００１３】
１  支点プレート
２  スライドレール
３  スライドガイド
４  脚開閉バー
５  背面バー  
６  反射板
７  脚
【図１】
2013204274.tif 000003
(57)【要約】      （修正有）【課題】バレエの基本となる脚や上半身のポーズが、一人で練習し、習得可能にする。【解決手段】バレエの練習着のタイツとレオタードにバレエの基本姿勢がとれるガイドラインの線を入れる。【選択図】図１
2013111461.tif 000002
【特許請求の範囲】
【請求項１】
バレエの練習着にバレエの基本姿勢がとれる以下のガイドラインの線をそれぞれ入れたもの。
タイツ    １  脚の付け根辺り中心線と、くるぶし辺りの中心線に縦垂直線
２  膝辺り中心線と楕円線
３  足首辺り、足首をぐるり回る楕円線
４  膝辺り（２）を囲むように楕円線
５  踵を合わせ外側につま先を開き（５）の線が垂直線
（図１参照）
レオタード１’  両手を水平に上げ、胸板部分に水平線
２’  胸板から下に水平線
３’  ヘソ中心線に腰水平線
（図２参照）
【発明の詳細な説明】
【技術分野】
【０００１】この発明は、バレエの練習着にバレエの基礎ポーズの位置が目印になる線を書いたバレエのタイツ、レオタード関するものである。
【背景技術】
【０００２】  バレエの基本となる脚や上半身のポーズが、一人で練習する際にうまく出来なかった。
【先行技術文献】
【０００３】  先行技術調査をした結果、一度も改良がなかった。
【特許文献１】  なし
【非特許文献１】  なし
【発明の概要】
【発明が解決しようとする課題】
【００４】これは次のような欠点があった。
（イ）バレエの脚の基本姿勢は５通りのポジションがあるが、それぞれのポーズをする際、足の高さ、足の向き、重心の位置など解りにくく、困ることが多く、正しいフォームを習得するのが難しかった。
（ロ）バレエの上半身基本姿勢には５通りのポジションがあるが、それぞれのポーズをする際、手の高さ、手の向き、体の位置など解りにくく、困ることが多く、正しいフォームを習得するのが難しかった。
本発明は、以上のような欠点を無くすためになされたものである。
【課題を解決するための手段】
【０００５】以下それぞれの練習着にガイドラインの線を入れる。
タイツ    １、脚の付け根辺り中心線と、くるぶし辺りの中心線に縦垂直線
２、膝辺り中心線と楕円線
３、足首辺り、足首をぐるりと回る楕円線
４、膝辺り（２）を囲むように楕円線
５、踵を合わせ外側につま先を開き（５）の線が垂直線
レオタード１’  両手を水平に上げ、胸板部分に水平線
２’  胸板から下に水平線
３’  ヘソ中心線に腰水平線
この発明は、以上の構成よりなる  Ｄｒｉｌｌ  Ｍａｓｔｅｒ（ドリルマスター）ウェアーである。
【発明の効果】
【０００６】Ｄｒｉｌｌ  Ｍａｓｔｅｒウェアーは以下の様な構成です。
この結果、バレエの基礎となる
（イ）脚のポーズ１番から５番までの動きがラインに沿って学べる。
（ロ）上半身のポーズがラインに沿って学べる。肩、手首までの水平、傾斜がラインを意識することにより動きがスムーズになる、又ラインを書くことによりウェアーの柄をするため、従来のバレエ練習着となんら変わらない。
【図面の簡単な説明】
【０００７】
【図１】  本発明のタイツの平面図である。
【図２】  本発明のレオタードの平面図である。
【発明を実施するための形態】
【０００８】  本発明を実施するための最良の形態について説明する。
以下それぞれに練習着にガイドラインの線を入れる。
タイツ    １  脚の付け根辺り中心線と、くるぶし辺りの中心線に縦垂直線
２  膝辺り中心線と楕円線
３  足首辺り、足首をぐるりと回る楕円線
４  膝辺り（２）を囲むように楕円線
５  踵を合わせ外側につま先を開き（５）の線が垂直線
（図１参照）
レオタード１’  両手を水平に上げ、胸板部分に水平線
２’  胸板から下に水平線
３’  ヘソ中心線に腰水平線
（図２参照）
本発明は、以上の様な構造である。
このバレエ練習着（タイツ、レオタード）を着用すると、バレエのクラスで先生と共に学習した後でも、一人でラインを見ながら復習することが出来、我流の変な癖がつくことがなく、早く上達することが出来、そしてバレエの練習にも一層興味が沸く。
まさしく、Ｄｒｉｌｌ  Ｍａｓｔｅｒドリルマスターウェアーなのである。
物品の形状は、一般的に従来使用していた物でよい。材質も従来使用していた物でよい。
大きさ、サイズ別で従来使用していた物でよい。従来のバレエ練習着にガイドとなる線を入れるのみ。
【符号の説明】
【０００９】          それぞれガイドラインの線の説明
タイツ    １  脚の付け根辺り中心線と、くるぶし辺りの中心線に縦垂直線
２  膝辺り中心線と楕円線
３  足首辺り、足首をぐるりと回る楕円線
４  膝辺り（２）を囲むように楕円線
５  踵を合わせ外側につま先を開き（５）の線が垂直線
（図１参照）
レオタード１’  両手を水平に上げ、胸板部分に水平線
２’  胸板から下に水平線
３’  ヘソ中心線に腰水平線
（図２参照）
【図１】
2013111461.tif 000003
【図２】
2013111461.tif 000004
【図３】
2013111461.tif 000005
【図４】
2013111461.tif 000006
2013111461.tif 000007
【手続補正書】
【提出日】平成24年1月27日(2012.1.27)
【手続補正２】
【補正対象書類名】明細書
【補正対象項目名】０００７
【補正方法】変更
【補正の内容】
【０００７】
【図１】  本発明のタイツの平面図である。
【図２】  本発明のタイツの平面図である。
【図３】  本発明のタイツの平面図である。
【図４】  本発明のタイツの平面図である。
【図５】  本発明のレオタードの平面図である。
【手続補正３】
【補正対象書類名】図面
【補正対象項目名】全図
【補正方法】変更
【補正の内容】
【図１】
2013111461.tif 000008
【図２】
2013111461.tif 000009
【図３】
2013111461.tif 000010
【図４】
2013111461.tif 000011
【図５】
2013111461.tif 000012
(57)【要約】      （修正有）【課題】就寝中ふとんの中で、足首から先を、掛けふとんの圧迫から保護され、足首が自由になる暖房器を提供する。また暖房が不用な、春、夏、秋及び室暖房用に、ふとんの中で台の中の足首が、ふとんにふれていなく、自由に動かすことができる楽足カバーを提供する。【解決手段】アンカや湯タンポに台を付けた構成とする。【選択図】図１
2013111470.tif 000002
【特許請求の範囲】
【請求項１】
台を付けたアンカ、又は湯タンポ。
【請求項２】
すでに、アンカや湯タンポ所有者向けの楽足カバー。
【請求項３】
楽足カバーは、暖房が不用な、春、夏、秋及び室暖房用に、ふとんの中で、使用するもの。
【請求項４】
赤外線アンプや赤外線ヒータ等をふとんの中で用いるようにしたもの。
【請求項５】
電気毛布やホット・カーペットを台形に成形して、就寝用にしたもの。
【請求項６】
以上の品目を、収納が便利なように、折りたたみ式にしたもの。
【請求項７】
台のすき間を埋める付属品。
【発明の詳細な説明】
【発明の詳細な説明】
【０００１】ふとんの中で、足首が自由になる暖房器。
【技術分野】
【０００２】本発明は、アンカや湯タンポに台を付けたもの。
【背景技術】
【０００３】台の中の足首は、ふとんにふれていないから、自由に動かせて、足が楽である。
【背景技術】
【０００４】台の付いた、アンカや湯タンポはない。
【発明が解決しようとする課題】
【０００５】就寝中の足首から先を、掛けふとんの圧迫から、保護する。
【課題を解決するための手段】
【０００６】台付のアンカの下に、足首を入れる。
【発明の効果】
【０００７】就寝中の足首が、楽である。
【０００８】足首をゆがめずに、真直な姿勢で寝入れる。
【０００９】目がさめた時、まず足首を動かすから、起床が楽である。
【００１０】就寝中の足首の負担軽減により、足の疾病の予防になる。
【００１１】運動選手は、就寝時も、足首の運動ができて、技術の向上につながる。
【発明を実施するための形態】
【００１２】楽足アンカは、足にやさしい材質を使い、就寝中の足元に置く。
【産業上の利用可能性】
【００１３】本発明は、一般家庭向けの暖房に利用できる。【００１４】本発明は、病院向けに、足の保護に利用できる。【００１５】本発明は、老人施設向けに、足の安楽に利用できる。
【図面の簡単な説明】
【００１６】
【図１】楽足アンカが、１つのもの。
【図２】楽足アンカが、３つのもの。
【図３】楽足アンカと台が一体のもの。
【符号の説明】
【００１７】１、楽足アンカ
２、台又は、楽足カバー（アンカが付いていないもの）
３、掛けふとん
４、敷きふとん
５、足
６、パジャマ
【図１】
2013111470.tif 000003
【図２】
2013111470.tif 000004
【図３】
2013111470.tif 000005
(57)【要約】【課題】従来のマスクは飲食時，会話時，マスク不要時にその都度マスクを外さなくてはならない煩わしさがあり，顎にマスクを引き下げると耳に負担がかかり痛い場合があった．【解決手段】耳掛け紐に耳掛けレールを取り付け本体と一体となっている側縁部が側縁部端の耳掛けレールに沿った移動により伸縮し本体が伸張され，折りたたまれる構成にした，これによりマスクを取り外すことなく口，鼻を開放し飲食，会話が可能となり，耳に負担をかけることなく耳痛防止も可能となる．【選択図】図７
2013111471.tif 000002
【特許請求の範囲】
【請求項１】
折りたたみ可能な素材を有するマスク本体と耳掛り紐をそなえたマスクにおいてマスク本体を折りたたみ伸張することを特徴とするマスク
【請求項２】
前記耳掛け紐に耳掛けレールをそなえ耳掛りレールに沿って移動する側縁部端がそなえられ側縁部が伸縮する請求項１のマスク
【請求項３】
前記側縁部端が滑り子部になっている請求項２のマスク
【請求項４】
前記耳掛けレール上端に横架され掛け紐を掛止し滑止め機能を有する鼻掛け棒をそなえた請求項１のマスク
【請求項５】
前記耳掛けレール下端に横架された顎当て棒をそなえフレームを形成する請求項１のマスク
【請求項６】
前記側縁部と本体が一体となった請求項１のマスク
【発明の詳細な説明】
【技術分野】
【０００１】  本発明はマスクを着用した状態で飲食できるマスクに関する．
【背景技術】
【０００２】  従来の飲食可能マスクは重複する開閉部を設けたもの（例えば特許文献１参照）レールにより耳掛け紐の位置を変えるもの（例えば特許文献２参照）かある．
【特許文献１】特開２００６−１９８３０５号公報
【特許文献２】実用新案登録第３０８９４７２号公報
【発明の開示】
【発明が解決しようとする課題】
【０００３】  従来のマスクは飲食時，会話時等マスク不用時にマスクを外さなければならず煩わしい思いをし又粉失する恐れがあった【０００４】  本発明はこのような従来の構成が有していた問題を解決しようとするものであり，マスク不要時に取り外す煩わしさを解消することを目的とするものである．
【課題を解決するための手段】
【０００５】  そして本発明は上記目的を達成するために耳掛けに耳掛けレールを取り付け包囲した側縁部が滑り子部になっている側縁部端に取り付けられた掛け紐を作動させることにより蛇腹状に収縮し本体が折りたたまれ口，鼻を開放し伸長することにより本体が伸張され口，鼻を覆うものである．【０００６】  また掛け紐は本体が折りたたまれた時．滑り止め機能を有し左右耳掛けレールの上端で横架されフレームを形成する鼻掛け棒に取り付けられた掛止具で掛止され本体伸張を防ぎ本体伸張時顎に掛けマスクを密着させる．
【発明の効果】
【０００７】  上述したように本発明のマスクは取り外すことなく飲食，会話等を可能にし密閉性を確保したものである．
【発明の実施するための最良の形態】
【０００８】  以下本発明の実施の形態を図１〜図８に基づいて説明する．
【０００９】  図においては１は耳掛けレールで側縁部３が包囲し側縁部端４に引掛け紐が取り付けられている．
【００１０】  ２は鼻掛け棒で左右耳掛けレールの上端で横架されフレームを形成しマスクの変形を防ぎ，マスクの密封性を高める又鼻上部に取り付けられた引掛け具６は引掛け紐５を掛けるために設けられている．
【００１１】  ７は本体で側縁部の伸縮により伸張したり蛇腹状又は波状その他形状は限られない形に折りたたまれる．
【００１２】  以下動作を説明する．飲食時口，鼻を開放する場合は引掛け紐５を引張り上方に持っていくと滑り子部である側縁部端４が耳掛けレール１上を滑動し側縁部３が蛇腹状に収縮するとともに本体７も上縁部に折りたたまれ引掛け紐５を引掛け具６に引掛け掛止する。本体７を下縁部に折りたたみ引掛け紐５を顎にかけてもよい．面係止も可能である．
【００１３】  口，鼻を覆う場合は上述した引掛け紐５を引掛け具６から係脱し側縁部端４を耳掛けレールに沿って滑動し移動させ側縁部３を伸長させることにより本体７を伸長させ口，鼻を覆う。マスクを密封するため引掛け紐５を顎に掛ける．
【００１４】  図４は本体７を下縁部に折りたたんだ場合，図５は顎当て棒を設け矩形のフレームを形成したものであり図６は耳掛けレール１でのみ形成されたものである．その他上述矩形の上辺を取り除いた形状を有するものがあり形状限定されない．図７は飲食時．開放時図，図８は口鼻を覆った図である．
【図面の簡単な説明】
【００１５】
【図１】本発明の耳掛けレールと鼻掛け棒で形成されたフレーム図
【図２】本体を伸張した図
【図３】本体を上縁に折りたたんだ図
【図４】本体を下縁に折りたたんだ図
【図５】矩形フレーム図
【図６】耳掛けレールのみで形成される図
【図７】口，鼻開放時  図
【図８】口，鼻を覆った図
【符号の説明】
【００１６】１    耳掛けレール
１ａ  耳掛け紐
２    鼻掛け棒
３    側縁部
４    側縁部端
５    引掛け紐
６    引掛け具
７    本体
【図１】
2013111471.tif 000003
【図２】
2013111471.tif 000004
【図３】
2013111471.tif 000005
【図４】
2013111471.tif 000006
【図５】
2013111471.tif 000007
【図６】
2013111471.tif 000008
【図７】
2013111471.tif 000009
【図８】
2013111471.tif 000010
(57)【要約】【課題】  従来、切った食材を借り置きするのに、ボールやトレイを食材の種類分用意しなければならなかった為、沢山所持する必要があり整理整頓に工夫を要した。  切った食材を、ボールやトレイに運ぶ行動が、１回では出来ない量があった場合に手間が生じていた。  包丁の腹に切った食材を乗せて運ぶ時に、指や手のひらを切らないように気を付ける等多少の危険があった。特に子供には多大な危険が潜んでいる。  本発明は、調理中の手間や危険を回避する道具を提供する。【解決手段】  まな板の下に挟みこめる板状の下敷きシート（１）にトレイ盤（３）を付け、前記下敷きシートとトレイ盤を柔らかい素材で蝶番のように可動するようにし、トレイ盤（３）の淵に自在幌骨（５）を付け、その自在幌骨（５）に止めビス（７）で固定した数種類の自在幌骨（５）を上下自在に可動出来るものとし、各自在幌骨（５）の間に自在幌（９）を設けて、まな板用トレイとして使用する。【選択図】図３
2013111452.tif 000002
【特許請求の範囲】
【請求項１】
滑りにくい下敷きシートとトレイ盤を一体に、又は連結したまな板用トレイであって、下敷きシートとトレイ盤の間は柔らかい素材で蝶番のように可動でき、トレイの三方向に柔らかい素材で上下自在な幌を設け、この幌を展開して食品収納をすることが出来るまな板用トレイ。
【発明の詳細な説明】
【技術分野】
【０００１】  本発明は、料理をするときに使うまな板用トレイである。
【背景技術】
【０００２】  従来、まな板の上で切った食材をボールやトレイに移すか、まな板の端に置いていた。
なお、まな板をまるごと入れる大きなトレイが知られている。（特許文献１参照）
【先行技術文献】
【０００３】
【特許文献１】  特開２００６−１３０２６５号公報
【発明の概要】
【発明が解決しようとする課題】
【０００４】従来、まな板の上で切った食材をボールやトレイに移すか、まな板の端に置いていた。
切った食材を、ボールやトレイに運ぶ行動が、１回では出来ない量があった場合に手間が生じていた。
包丁の腹に切った食材を乗せて運ぶ時に、指や手のひらを切らないように気を付ける等多少の危険があった。特に子供には多大な危険が潜んでいる。
【課題を解決するための手段】
【０００５】まな板の下に挟みこめる板状のシートにトレイ盤を付け、前記下敷きシートとトレイ盤を柔らかい素材で蝶番のように可動するようにし、トレイ盤の淵に上下自在の幌を付ける。
【発明の効果】
【０００６】まな板の上で切った食材をそのままスライドさせてトレイに移すことが出来る為、子供にも安全であり、尚且つ複数の食材を分けて借り置きすることができる。
そして、食材が入った本体をそのまま手に取り鍋やフライパンに放り込むことが出来る。
又、本体の形が平らに近い為、収納スペースが小さく出来る。
【図面の簡単な説明】
【０００７】
【図１】  本発明の斜視図である。
【図２】  本発明の使用状態を示した斜視図である。
【図３】  本発明の使用状態を示した斜視図である。
【図４】  本発明の上部からの見下げ図である。
【図５】  本発明の止めビスの斜視図である。
【図６】  本発明の止めビス使用時の横断面図である。
【発明を実施するための形態】
【０００８】  以下、本発明の実施の形態を説明する。
（イ）滑らないゴム等の素材の下敷きシート（１）とトレイ盤（３）を一体にし、その結合部は柔らかい素材で蝶番のように可動できるようにする。
（ロ）トレイ盤（３）の下敷きシート（１）が付いてない３方向に複数の自在幌骨（５）を設け、その自在幌骨（５）は止めビス用の穴を設け、各自在幌骨（５）の間に柔らかい素材の自在幌（９）を設ける。
（ハ）自在幌骨（５）の可動部に脱着可能な止めビス（７）を設ける。
【０００９】以下、本発明の実施の形態を、図面を参考にして説明する。
図１は本発明のまな板用トレイの斜視図、図２は図１のまな板用トレイの変形使用図、図３は図１の使用例、図４は図１のまな板用トレイの上からの見下げ図である。
まな板の下に敷く為の下敷きシート（１）と食材を置く為のトレイ盤（３）は柔らかい素材でその間を可動できるように一体に結合され、又は連結されていて、トレイ盤（３）の下敷きシート（１）が付いてない３方向に、食材がこぼれないようにするために少し高さのある自在幌骨（５）をつけ、その自在幌骨（５）は下敷きシート（１）付近に止めビス（７）が入れられる穴を設け、各穴の空いた複数の自在幌骨（５）と連結させ、複数の自在幌骨（５）の間は、柔らかい素材の自在幌（９）を付ける事によって、隙間を無くし、食材をこぼさないようにする。
又、変形が可能なので図２のような使用も出来る。
部材の補足説明として、図５の止めビス（７）は、雄部は円盤形のプラスチック等の部品の中心部から半矢印型で引っかかりのある部品を２個設け、雌部は円盤形のプラスチック等の部品に中心部が空洞の筒状で、内側に雄部の引っかかりがかかる段差を設け、この二つの部品を使い脱着可能な部材とする。
【符号の説明】
【００１０】１  下敷きシート
３  トレイ盤
５  自在幌骨
７  止めビス
９  自在幌
【図１】
2013111452.tif 000003
【図２】
2013111452.tif 000004
【図３】
2013111452.tif 000005
【図４】
2013111452.tif 000006
【図５】
2013111452.tif 000007
【図６】
2013111452.tif 000008
(57)【要約】【課題】従来の足つきバーベキュー用コンロ（４〜６人）は一般的に大型で重量も重く、運ぶのに苦労し、運搬には自動車で収納するのに、スペースが大きく取られがちである。本発明は、車スペース確保及びコンパクトだけでなく場所等に応じて２箇所で、焼けるなどするための折り畳み式バーベキュー用コンロを提供する。【解決手段】一対からなる枠板を長蝶番で固定したもの２種類を設け、その２種類を囲むように留金、抜差蝶番で合わせて、底に灰の受け皿用で底板を設け、アミ受け用で載置軸を使用し、炭又は焼く用アミを３枚設け、火の調整で空気口板を設けて、仕舞い方は、それぞれ部品を取り、枠板を折りたたむことでコンパクトにして、市販のバックに仕舞えるなど特徴とする折り畳み式バーベキュー用コンロ。【選択図】図１
2013111460.tif 000002
【特許請求の範囲】
【請求項１】
一対からなる枠板を長蝶番で固定したもの２種類を設け、その２種類を囲むように留金、抜差蝶番で合わせて、底に灰の受け皿用で底板を設け、アミ受け用で載置軸を使用し、炭又は焼く用アミを３枚設け、火の調整で空気口板を設けて、仕舞い方は、それぞれ部品を取り、枠板を折りたたむことでコンパクトにして、市販のバックに仕舞えることが可能な折り畳み式バーベキュー用コンロ。
【発明の詳細な説明】
【技術分野】
【０００１】  本発明は、コンパクトに折り畳めて、持ち運びやすいことや車のスペース確保、場所等に応じて２箇所で焼けるなどの折り畳み式バーベキュー用コンロに関するものである。
【背景技術】
【０００２】  従来、キャンプ又はバーベキューなど、コンロを使用するためには、主に、市販の足つきバーベキュー用コンロ（４〜６人）又は七厘を利用していた。なお、分解・再組立が簡単で可搬性を富み、かつ火力調理の容易なバーベキューコンロが知られている。（特許文献１参照）
【先行技術文献】
【０００３】
【特許文献１】特許公開平８−３０８７４５
【発明の概要】
【発明が解決しようとする課題】
【０００４】  従来の足つきバーベキュー用コンロ（４〜６人）は一般的に大型で重量も重く、運ぶのに苦労し、運搬には自動車で収納するのに、スペースが大きく取られがちである。
本発明は、以上の問題を解決するためになされたものである。
【課題を解決するための手段】
【０００５】  本発明は、一対からなる枠板を長蝶番で固定したもの２種類を設け、その２種類を囲むように留金、抜差蝶番で合わせて、底に灰の受け皿用で底板を設け、アミ受け用で載置軸を使用し、炭又は焼く用アミを３枚設け、火の調整で空気口板を設ける。
仕舞い方は、それぞれ部品を取り、枠板を折りたたむことでコンパクトにして、市販のバックに仕舞えることが可能である。
以上の構成よりなる折り畳み式バーベキュー用コンロ。
【発明の効果】
【０００６】  折り畳み式にしたことにより、組立、分解は容易で市販バックにいれらることや重さも軽減し、持ち運びやすいこと、車のスペース確保をすることで、コンパクトに折りたたむことが、可能である。
本発明により分解可能にし、折り畳み式バーベキュー用コンロにすることができる。
【図面の簡単な説明】
【０００７】
【図１】本発明の斜視図
【図２】本発明のＡ−Ａ断面図
【図３】本発明の組立前を示す分解斜視図
【図４】バーベキューの使用状況を示す斜視図
【図５】バーベキューの使用状況を示す斜視図
【発明を実施するための形態】
【０００８】  以下、本発明の実施の形態を説明する。
（イ）対向する一対の枠板Ａと枠板Ｂからなり、枠板Ｂは方形状の正面板（１）と正面板（１）の一側縁に設けられた蝶番（９）を介して長方形状の側面板Ｂ（２）を内側に折り曲げ自在に設ける。
（ロ）枠板Ｂに相対する枠板Ａは長方形状の側面板Ａ（４）と側面板Ａ（４）の一側縁に設けられた蝶番（９）を介して方形状の背面（３）を内側に折り曲げ自在に設ける。
（ハ）正面板（１）と背面板（３）、及び側面板Ａ（４）と側面板Ｂ（２）は同一形状で同一の大きさである。
（ニ）側面板Ａ（４）と側面板Ｂ（２）は、それぞれの中段とその上方位置の上段に水平状に並列して複数の穴（１３）を設け、側面板Ａ（４）と側面板Ｂ（２）に設けた穴（１３）は対向する位置に開けられている。
（ホ）側面板Ｂ（２）の蝶番（９）を設けた反対の側縁に、背面板（３）の側縁に設けた接続部（１１）と接続自在とするための接続部（１１）を設け、側面板Ａ（４）の蝶番（９）を設けた反対の側縁に、正面板（１）の接続部（１２）に接続自在とするための接続部（１２）を設ける。
（ヘ）正面板（１）の中央に穴（１４）を設け、穴（１４）を蓋して開閉するための板（６）を蝶番（１０）を介して設ける。
（ト）側面板Ａ（４）と側面板Ｂ（２）に設けた穴（１３）に直線状の載置軸（７）を差込み橋渡す。
（チ）載置軸（７）の上面にアミ（８）を載せる。
（リ）枠板Ａと枠板Ｂの上縁にアミ（８）を橋渡して載せる。
（ヌ）枠板Ａと枠板Ｂの底部に底板（５）を設ける。
本発明は以上のような構造である。
本発明を使用するときは、底板（５）の上に一対の枠板Ａと枠板Ｂの正面板（１）と側面板Ｂ（４）の側縁に設けられた留金（１２）を繋ぎ、反対側の背面板（３）と側面板Ｂ（２）の側縁に設けられた抜差蝶番（１１）を繋ぎ合わせ接続させたもの側面板Ａ（４）と側面板Ｂ（２）の面に複数の穴（１３）の下の段に載置軸（７）、３本を挿入し、その上にアミ（８）を乗せる。同様に上段部にも３本、載置軸（７）を挿入し、上にアミを乗せ、側面板Ａ（４）と側面板Ｂ（２）の上にアミ（８）を置く。図４の真ん中のアミ（８）の所に炭を入れて上のアミ（８）で食べ物を焼くことが可能である。図５の場合、下のアミ（８）の所に炭を入れて真ん中のアミ（８）で食べ物を焼くことが可能である。片付け方は、それぞれ構成部品を分解して、側面板Ａ（４）と側面板Ｂ（２）を折畳み、市販品の袋に仕舞うことが、可能である。
【符号の説明】
【０００９】１  正面板、２  側面板Ｂ、３  背面板、４  側面板Ａ、５  底板、６  空気口板、７  載置軸、８  アミ、９  長い蝶番、１０  蝶番、１１  抜差蝶番、１２  留金  １３  載置軸穴、１４  空気口
【図１】
2013111460.tif 000003
【図２】
2013111460.tif 000004
【図３】
2013111460.tif 000005
【図４】
2013111460.tif 000006
【図５】
2013111460.tif 000007
(57)【要約】      （修正有）【課題】最近は家族が少人数となっているので、仏さんのご飯を毎日お供えする為にご飯が残っている上にご飯を炊いていた。いくら冷凍、冷蔵庫で保存していても古くなり捨ててしまうことがよくあるので罪悪感を感じてしまう。仏飯を山型、円柱型に整えるのに苦労していた。お供えしたご飯をさげて食べる時には干からびて固くなっていた。仏さんのご飯さんと一口で言うものの時間はかかるし、それなりの負担からストレスとなっていた。【解決手段】冷凍保存と電子レンジで解凍が同一容器でできる機能をもつた仏飯型であることを特徴としたプラスチック容器。【選択図】図１
2013111456.tif 000002
【特許請求の範囲】
【請求項１】
冷凍保存と電子レンジで解凍が同一容器でできる機能を持った仏飯型容器。
【発明の詳細な説明】
【技術分野】
【０００１】本発明は仏壇に毎日あげるためのご仏飯の型をした仏飯型保存容器に関するものである
【背景技術】
【０００２】毎朝  炊き立てのご飯を仏飯容器に山型あるいは円柱型にしゃもじで形を作ってお供えしていた。
【発明の概要】
【発明が解決しようとする課題】
【０００３】家族の人数が少なくなっているためご飯を食べる量が少なくなっているのに仏壇に供えるために毎日ご飯を炊いていた。お下がりのご飯、また炊いたご飯も残って最後には古くなり傷みが進み食べられなくなる。仏飯容器に毎日山型あるいは円柱型にクルクルと回しながらしゃもじで形をつけるのは思うよりも時間と手間が掛かっていた。
本発明は以上の問題点を解決するものである。
【課題を解決するための手段】
【０００４】本品は冷凍保存から電子レンジで解凍可能な仏飯型プラスチック製容器である。
【発明の効果】
【０００５】沢山炊いたご飯を仏飯型プラスチック製容器に冷凍保存しておけば残りご飯が腐る心配もなくなるのでストレスから解放される。毎朝新しいご飯をお供えできるので満足感を味わえる。仏飯器を持ってくるくると回しながらしゃもじで山形あるいは円柱にと形よく整える大変な作業もプラスチック製容器にご飯を入れるだけとなり簡単になる。朝の忙しい時に短時間で済むので気持ちに余裕ができる。
冷凍のまま供えれば自然解凍となり、お下がりのご飯も固くならずに食べやすいし傷みにくい。
比較的安価に製造できるので破損など使用困難になれば簡単に新品と取り換えられる。
使用後は洗えるのでいつも清潔である。
【図面の簡単な説明】
【０００６】
【図１】本発明の使用状態を示す図
【図２】本発明の使用状態を示す図
【発明を実施するための形態】
【０００７】本発明は、プラスチック製からなる蓋とご飯を収容できる本体とからなっている。
蓋の表は仏飯器に嵌めあわさる形状となっており、外側に突状部を有しており、蓋の裏にはご飯を保持できる平坦部を有している。本体は、ご飯を収容できる形状となっている。その形状を具体的に表すと、図１に示すとおりドーム型や、図２に示すとおり寸胴型である。
本発明の構造は以上のとおりである。
【０００８】炊き立ての熱いご飯を仏飯型保存容器によそう。それから蓋をする。そして冷凍庫に入れて保存する。必要に応じて取り出し電子レンジで解凍するか、そのまま仏飯器に入れて仏壇に供える。
【符号の説明】
【０００９】１    仏飯
２    本体
３    蓋
３１  平坦部
３２  平坦部
【図１】
2013111456.tif 000003
【図２】
2013111456.tif 000004